(57)【要約】      （修正有）【課題】ソフトルアーをトップウォーターフィッシングに用いることができるソフトルアー用補助具を提供する。【解決手段】ソフトルアー用補助具１０は、着水時に水面に浮く浮き部１２と、その浮き部１２の底部を形成し着水時に水中に沈む錘部１４とを備えるものであって、浮き部１２および錘部１４の内部には釣り糸１８を通すための貫通孔２０が形成されている。ソフトルアー用補助具１０は、釣り糸１８に固定されない、遊動仕掛けのものである。水面に浮くソフトルアー用補助具１０は、釣り糸１８を巻き取る際、水の抵抗を受けてワーム２４側に移動し、ワーム２４と連結した状態で、水面上を移動することから、ワーム２４を水面に浮かせた状態で釣り糸１８を巻き取ることができる。これにより、ワーム２４によるトップウォーターフィッシングが可能となる。【選択図】図３
2012223093.tif 000002
【特許請求の範囲】
【請求項１】
着水時に水面に浮く浮き部と、その浮き部の底部を形成し着水時に水中に沈む錘部とを備えるものであって、浮き部および錘部の内部に釣り糸を通すための貫通孔を形成することを特徴とするソフトルアー用補助具。
【請求項２】
前記補助具を砲弾形状に形成することを特徴とする請求項１記載のソフトルアー用補助具。
【請求項３】
前記錘部を逆円錐台形状に形成することを特徴とする請求項２記載のソフトルアー用補助具。
【発明の詳細な説明】
【技術分野】
【０００１】
本発明は、トップウォーターフィッシングに用いるソフトルアー用補助具に関するものである。
【背景技術】
【０００２】
トップウォーターフィッシングは、水面又はきわめて浅い水中にルアーを浮かせて釣りを行うものであり、魚が水面に現れてルアーを捕らえる瞬間を目視できるという醍醐味を味わえる。また、釣果も期待できる釣りである。この釣りに使用されるルアーはハードルアーであり、代表的なものにペンシル、ノイジー、スウィッシャーなどがある。また、現在では、初心者も容易に使用できる、魚の喰い付き易いトップウォーター用のハードルアーも提供されている（例えば、特許文献１）
【０００３】
特許文献１のルアーは、発泡性の樹脂で形成されたヘッドとボディとを備えるルアーであり、釣り糸を巻き取る際に、ヘッドが半回転ごとに自動的に右回転・左回転する半回転往復運動を行うものである。これにより、釣り糸のよれを防止でき、魚の喰い付きを改善している。
【先行技術文献】
【特許文献】
【０００４】
【特許文献１】特許第３８９７３５５号公報
【発明の概要】
【発明が解決しようとする課題】
【０００５】
ソフトルアー（以下、ワームという。）は、硬質プラスチック等からなるハードルアーと異なり、軟質プラスチック等の柔らかい素材からなるものである。また、ワームを本来の動作で泳がせるために、例えば、錘が付いている釣り針（フック）等をワームに掛けて使用する。ワームを使用する釣りは、ワームを着水させ水中又は水底に落とした後、釣り糸を巻いて又は引いて水中でワームを動かし、その動作で魚を誘うものである。
従って、ワームはトップウォーターに使用されるルアーではなく、トップウォーターに使用されるルアーは、水面に浮く構造からなるハードルアーのみであった。
【０００６】
本発明は、ソフトルアーをトップウォーターフィッシングに用いることができるソフトルアー用補助具を提供することを目的とするものである。
【課題を解決するための手段】
【０００７】
本発明のソフトルアー用補助具は、着水時に水面に浮く浮き部と、その浮き部の底部を形成し着水時に水中に沈む錘部とを備えるものであって、浮き部および錘部の内部に釣り糸を通すための貫通孔を形成するようにしたものである。
【０００８】
また、本発明のソフトルアー用補助具を砲弾形状に形成するようにしたものである。また、前記錘部を逆円錐台形状に形成するようにしたものである。
【発明の効果】
【０００９】
本発明のソフトルアー用補助具は、釣り糸に固定されない、遊動仕掛けのものである。水面に浮くソフトルアー用補助具は、釣り糸を巻き取る際、水の抵抗を受けてワーム側に移動し、ワームと連結した状態になるため、ワームは水面に浮かんだ状態で水面上を移動する。これにより、ワームによるトップウォーターフィッシングが可能となる。
また、ソフトルアー用補助具は、着水時、水面に垂直に立った状態で浮くため、当該補助具から釣り糸をスムーズに引き出すことができる。これにより、着水後、釣り糸に取り付けられたワームをワーム自体の重みで自然に魚の遊泳層まで沈めることができる。
【００１０】
ソフトルアー用補助具を砲弾形状に形成することにより、空気抵抗を抑制できる。これにより、キャスト時にワームを容易にコントロールできる。
また、錘部を逆円錐台形状にすることによって、ソフトルアー用補助具が移動するときに生じる水流でワームに対する揚力を生じさせることができるとともに、ワームの動作特性を最大限に発揮させることができる。これにより、十分な釣果が期待できる。
【図面の簡単な説明】
【００１１】
【図１】本発明のソフトルアー用補助具を表わす図であり、図１（ａ）は本発明のソフトルアー用補助具の構成図、同図（ｂ）は釣り糸に本発明のソフトルアー用補助具を取り付けた状態を表わす図である。
【図２】着水時の図１のソフトルアー用補助具およびワームの状態を表わす図である。
【図３】釣り糸を巻くときの図１のソフトルアー用補助具およびワームの状態を表わす図である。
【発明を実施するための形態】
【００１２】
本発明は、ソフトルアーによるトップウォーターフィッシングを実現するものである。
【実施例】
【００１３】
本発明のソフトルアー用補助具を図に基づいて説明する。本発明のソフトルアー用補助具を表わす図であり、図１（ａ）は本発明のソフトルアー用補助具の構成図、同図（ｂ）は釣り糸に本発明のソフトルアー用補助具を取り付けた状態を表わす図である。
ソフトルアー用補助具１０は、浮き部１２と、錘部１４と、浮き部１２および錘部１４内に内蔵されるパイプ部１６とを備える。また、図１において、ソフトルアー用補助具１０は、砲弾形状に形成されている。
【００１４】
浮き部１２は、着水時水面に浮く素材で形成されている。浮き部１２の素材としては、木製（桐等）、樹脂（ウレタン等）を用いる。なお、浮き部１２の表面には、撥水性を有する高強度硬質塗装が行われているものとする。
図１の浮き部１２は、その縦断面が略流線形の形状に形成されたものであり、ソフトルアー用補助具１０は空気抵抗を受け難い形状となっている。従って、キャスト時にワーム２４（図２、図３）を容易にコントロールすることができる。
なお、本発明において、ワーム２４の種類は限定されない。
【００１５】
錘部１４は、浮き部１２の底部を形成するものであり、着水時には水中に沈むように設定されている。錘部１４の素材は、鉛やタングステン等である。
また、図１において、錘部１４は、逆円錐台形状に形成されている。
【００１６】
パイプ部１６は、ソフトルアー用補助具１０の内部、すなわち浮き部１２および錘部１４の内部に釣り糸１８を通す貫通孔２０を形成するものである。また、本発明のソフトルアー用補助具１０は、釣り糸１８には固定されない、遊動仕掛けのものである（図１（ｂ））。
図１において、パイプ部１６はソフトルアー用補助具１０に内蔵されており（図１（ｂ））、パイプ部１６の中空部が貫通孔２０を形成する。なお、浮き部１２の孔部１２ａおよび錘部１４の孔部１４ａは、パイプ部１６を挿入又は嵌入して取り付け、ソフトルアー用補助具１０を組み立てるための孔部である。
また、パイプ部１６は、鉛や樹脂等で形成されている。
【００１７】
ソフトルアー用補助具１０の全体重量は、水の比重１に対して０．９以上１未満になるように設定されている。当該重量に設定することにより、比較的重い重量を確保することができ、ワーム２４（図２、図３）のみをキャストする場合に比べ、ワーム２４の遠投が可能になる。
【００１８】
また、図１において、弾性部材２２（クッション部材）は、リング形状のものであり、その孔に釣り糸１８を通す（図１（ｂ））。弾性部材２２は、釣り糸１８と釣り針（フック）とを結ぶ部分（結び目）の摩擦を抑制し、釣り糸１８が切断されることを防止するものである。
【００１９】
次に、着水時のソフトルアー用補助具およびワームの状態を図２に基づいて説明する。図２は、着水時の図１のソフトルアー用補助具およびワームの状態を表わす図である。
ソフトルアー用補助具１０は、着水時において、浮き部１２の頭部（尖がった部分）が水面上に現れ、錘部１４が水中に沈んだ状態になり、浮き部１２を上にし錘部１４を下にして水面に対し垂直に浮く。
釣り糸１８に取り付けられたワーム２４は、着水後それ自体の重さで水中に沈む。このとき、遊動仕掛けのソフトルアー用補助具１０は水面に対し垂直に浮いているため、釣り糸１８は補助具１０からスムーズに引き出される。
従って、ソフトルアー用補助具１０を用いることにより、ワーム２４をワーム２４自体の重みで自然に沈めることができる。これにより、ワーム２４を魚の遊泳層まで沈めることができ、魚をおびき寄せることができる。
【００２０】
次に、釣り糸を巻くときのソフトルアー用補助具およびワームの状態を図３に基づいて説明する。図３は、釣り糸を巻くときの図１のソフトルアー用補助具およびワームの状態を表わす図である。
釣り糸を巻き取る際、水面に浮くソフトルアー用補助具１０は、浮き部１２の頭部（尖がった部分）が水面の上方に位置し、底部の錘部１４が水面又はきわめて浅い水中に位置する。また、遊動仕掛けのソフトルアー用補助具１０は、釣り糸を巻き取る際水の抵抗を受けるためワーム２４側に移動し、底部の錘部１４はワーム２４と連結した状態となる。このとき、ワーム２４は錘部１４とともに水面および極めて浅い水中を移動する。このように、釣り糸１８に遊動仕掛けのソフトルアー用補助具１０を設けることにより、ワーム２４を水面又は極めて浅い水中に浮かせた状態で釣り糸を巻き取ることができる。すなわち、ワーム２４によるトップウォーターフィッシングが可能となる。
また、図３において、ソフトルアー用補助具１０の進行によって生じる水流２６は、図１の逆円錐台形状の錘部１４を通過し、ワーム２４に対しワーム２４の進行方向に垂直で上向きに作用する揚力を生じさせる。同時に、ワーム２４は、水流２６の抵抗を受けて、ワーム２４の動作特性を最大限に発揮する。このように、錘部１４を逆円錐台形状とすることにより、ワーム２４を水面に浮かばせ魚が食いたくなるような動作をさせることが可能となることから、十分な釣果が期待できる。
【００２１】
以上のように、本発明によると、ソフトルアーによるトップウォーターフィッシングを提供することができ、また釣果も期待できる。本発明によるトップウォーターフィッシングは、初心者からベテランまで幅広い層で楽しめるものである。また、使用するソフトルアー（ワーム）の種類は限定されないため、本発明を利用する者（釣り人）は多様なワーム類の中から好みのものを状況に応じて選択することができる。
【符号の説明】
【００２２】
１０  ソフトルアー用補助具
１２  浮き部
１４  錘部
１８  釣り糸
２０  貫通孔
２４  ソフトルアー
【図１】
2012223093.tif 000003
【図２】
2012223093.tif 000004
【図３】
2012223093.tif 000005